(57)【要約】      （修正有）【課題】様々な方向の断面図並びに三次元画像を取得することができ、希望するデータを容易に取得することができる歯科診断用ＯＣＴ装置を提供する。【解決手段】サンプル側には、プローブ先端の被検体歯部の照射部に設けられた高速から低速に到る光スキャン装置及び、同プローブの後端ないし中央部に設けられた低速光スキャン装置とを有し、かつ、高速から低速に到る光スキャン装置及び低速光スキャン装置の双方あるいは、いずれかを作動させ又は停止させる切り替え操作部を備える。また、参照側には、参照光発生部に高速から低速に到る光スキャン装置を有し、かつ、同スキャン装置を高速から低速に作動させあるいは、停止させる切り替え操作部を備える。【選択図】図１
0003167523.tif 000002
【実用新案登録請求の範囲】
【請求項１】
歯科診断用ＯＣＴ装置において、
サンプル側には、プローブ先端の被検体歯部の照射部に設けられた高速から低速に到る光スキャン装置及び、同プローブの後端ないし中央部に設けられた低速光スキャン装置とを有し、
かつ、前記高速から低速に到る光スキャン装置及び低速光スキャン装置の双方あるいは、いずれかを作動させ又は停止させる切り替え操作部を備えてなり、
また、参照側には、参照光発生部に高速から低速に到る光スキャン装置を有し、
かつ、同スキャン装置を高速から低速に作動させあるいは、停止させる切り替え操作部を備えてなることを特徴とする歯科診断用ＯＣＴ装置。
【考案の詳細な説明】
【技術分野】
【０００１】
本考案は、ＯＣＴ（Ｏｐｔｉｃａｌ Ｃｏｈｅｒｅｎｃｅ Ｔｏｍｏｇｒａｐｈｙ）係り、特に操作部の切り替えにより各方向の光断面画像及び三次元画像が取得可能な歯科診断用ＯＣＴ装置に関する。
【背景技術】
【０００２】
ＯＣＴ装置において、従来、高速でデータを取得するためには、例えばサンプル側を高速スキャンし、参照側を低速スキャンする等の手段によっていた。
【先行技術文献】
【特許文献】
【０００３】
【特許文献１】特開２００２−１７２１１７号
【考案の開示】
【考案が解決しようとする課題】
【０００４】
しかしながら、従来の方法で取得されるデータは、例えば横断面の断層画像のみに限定されていた。
そして、特に歯科の分野では、プローブを狭い口腔内に挿入しなければならないため、プローブ照射部の挿入方向は限定される。
従って、挿入方向が限定されスキャン方向が限定されると、得られる断層画像の方向も限定されるため、希望するデータが取得できない場合があった。
本考案の装置によれば、プローブの照射位置を移動させなくても、切り替え操作部により各種のスキャナの組み合わせを選択することによって、様々な方向の断面図並びに三次元画像を取得することができ、希望するデータを容易に取得することができる。
【課題を解決するための手段】
【０００５】
上記に鑑み本願考案者等は鋭意実験研究の結果、下記の手段によりこれらの問題を解決した。
（１）歯科診断用ＯＣＴ装置において、サンプル側には、プローブ先端の被検体歯部の照射部に設けられた高速から低速に到る光スキャン装置及び、同プローブの後端ないし中央部に設けられた低速光スキャン装置とを有し、かつ、前記高速から低速に到る光スキャン装置及び低速光スキャン装置の双方あるいは、いずれかを作動させ又は停止させる切り替え操作部を備えてなり、また、参照側には、参照光発生部に高速から低速に到る光スキャン装置を有し、かつ、同スキャン装置を高速から低速に作動させあるいは、停止させる切り替え操作部を備えてなることを特徴とする歯科診断用ＯＣＴ装置。
【考案の効果】
【０００６】
本考案によれば次のような優れた効果を発揮する。
（１）歯科診断用ＯＣＴにおいて、サンプル側に高速から低速に到るスキャン装置及び低速スキャン装置を有し、かつ、前記高速から低速に到るスキャン装置及び低速スキャン装置の双方あるいは、いずれかを作動させ、あるいは停止させる切り替え操作部を備えてなり、また、参照側に高速から低速に到るスキャン装置を有し、かつ、同スキャン装置を高速から低速に作動させ、あるいは停止させる切り替え操作部を備えてなるため、
前記切り替え操作の切り替えにより、一つの装置で被検体歯部の各種方向の光断面画像及び三次元画像を取得することができる。
特に歯科の分野では、プローブを狭い口腔内に挿入しなければならないため、プローブ照射部の挿入方向は限定され、装置のスキャン方向が限定されると、得られる断層画像の方向も限定されるため、希望するデータが得られない場合があった。
本考案の装置によれば、プローブの所用照射位置を移動させなくても、切り替え操作部により各種のスキャン装置の組み合わせを選択することによって、各種方向の断面図並びに三次元画像を取得することができ、希望するデータを容易に得ることができる。
また、前記組み合わせは、スキャン切り替え操作ボタンの指令によるコンピュータ処理によってワンタッチで実施することができる。
【０００７】
（２）切り替え操作部により、サンプル側の、スキャン装置を高速作動させまた、低速スキャン装置は停止させ、かつ、参照側のスキャン装置を低速に切り替えて作動させて、被検体歯部の横断面画像を取得することができる。
（３）切り替え操作部により、サンプル側の、低速スキャン装置を作動させまた、前記スキャン装置は停止させ、かつ参照側のスキャン装置を高速に切り替えて作動させて、被検体歯部の横断面画像を取得することができる。
（４）切り替え操作部により、サンプル側の、スキャン装置を低速作動させまた、低速スキャン装置は停止させ、かつ参照側のスキャン装置を高速に切り替えて作動させて、被検体歯部の垂直方向の縦断面画像を取得することができる。
（５）切り替え操作部により、サンプル側の、スキャン装置を高速作動させ、また、低速スキャン装置を作動させ、かつ参照側のスキャン装置を停止させて、照射部に被検体歯部の平行方向の縦断面画像を取得することができる。
（６）切り替え操作部により、サンプル側の、スキャン装置を高速に、及び低速スキャン装置を作動させ、かつ、参照側のスキャン装置を高速に切り替えて作動させて、被検体歯部の三次元画像を取得することができる。
以上述べたように、被検体歯部の横、縦及び平行方向縦の各断面像及び三次元画像の各画像を容易に得ることができる。
【図面の簡単な説明】
【０００８】
【図１】本考案のスキャン装置の切り替え操作部を有する歯科診断用ＯＣＴ装置の構成説明のブロック図
【図２】縦断面画像取得説明図
【図３】横断面画像取得説明図
【図４】平行方向の縦断面画像取得説明図
【図５】３次元計測画像取得説明図
【考案を実施するための最良の形態】
【０００９】
考案を実施するための最良の形態を図面に基づいて説明する。
図１は本考案のスキャン装置の切り替え操作部を有する歯科診断用ＯＣＴ装置の構成説明のブロック図である。
図において、１は診断用プローブ、２は参照側スキャン装置、３はスキャン装置の切り替え回路、４は低速〜高速可変スキャン装置、５は反射鏡、６は参照光、７はコリメートレンズ、８は深さ方向走査、９はＳＬＤ、１０は光ファイバ、１１は光サーキュレータ、１２は光ファイバカップラ、１３検出器、１４は検出信号線、１５は信号処理部、１６はコンピュータ、１７は表示部、１８は光断層画像、１９は縦方向走査、２０は信号光、２１は歯部、２２は歯、２３は歯肉、２４はスキャン切り替え操作ボタン、２５は各スキャン装置駆動信号及び電源部、２６は光スキャナ速度切り替え及び停止スィッチ、２７は低速アクチエータＯＮＯＦＦスィッチ、２８は速度切り替え及び停止スイッチ、２９は横断面画像選択ボタン、３０は縦断面画像選択ボタン、３１は平行縦断面画像選択ボタン、３２は三次元画像選択ボタン、３３は低速アクチエータ、３４は参照側スキャン装置駆動信号線、３５低速スキャン装置駆動信号線、３６は光スキャナ駆動信号線、３７はコリメートレンズ、３８は信号光、３９は高速〜低速可変光スキャナ、４０は移動ステージ、４１レンズを示す。
【００１０】
本ブロック図に示したように、低コヒーレンス光源のＳＬＤ９と、同ＳＬＤ９からの光を被検体歯部２１への信号光２０と参照光６とに分割する２分割用光ファイバカプラ１２を備え、
そして、前記参照光６の低速〜高速可変スキャン装置４は、例えばリニヤアクチエータアによる深さ方向走査８を行う装置であり、
また、前記低速〜高速可変スキャン装置４を低速〜高速に作動させ、あるいは停止させる速度切り替えスイッチ２８を有しており、同スィッチにより各スキャン装置駆動信号及び電源部２５を切り替えて速度制御と選択を行っている。
この選択は、スキャン切り替え操作ボタン２４の指定によりコンピュータ１６によって処理され、他のスキャン装置との組み合わせによって行われる。
【００１１】
さらに、被検体サンプル側のプローブ１先端の被検体歯部２１の照射部に設けられた、深さ方向に対し垂直方向の走査（横又は縦の走査１９）を行う高速〜低速可変光スキャナ３９及び同プローブ１内の後端ないし中央部に設けられた低速スキャン装置の低速アクチエータ３３とを有し、
かつ、前記高速〜低速可変光スキャナ３９及び低速アクチエータ３３の双方あるいは、いずれかを作動させ、あるいは停止させる切り替えスイッチ即ち、光スキャナ速度切り替え及び停止スィッチ２６及び低速アクチエータＯＮＯＦＦスィッチ２７を有しており、前記各スィッチにより、各スキャン装置駆動信号及び電源部２５を切り替えて前記スキャン装置の選択を行っている。
この選択は、前記スキャン切り替え操作ボタン２４の指定によりコンピュータ１６によって処理され、他のスキャン装置との組み合わせによって行われる。
【００１２】
また、歯科診断用の前記プローブ１は、例えば縦の走査１９を行い、信号光２０を歯部２１に照射及び回帰させ、その光と前記参照側スキャン装置２から回帰する参照光６とを合波する前記２分割用光ファイバカプラと１２と、同２分割用光ファイバカプラ１２で合波された干渉光を検出する検出器１３（バランスレシーバ）を備えている。
さらに、前記検出器１３からの信号は、信号処理部１５経由コンピュータ１６に入力され、表示器１７には光断層画像１８が表示されて、全体でＯＣＴ装置を形成している。
【００１３】
次に、二次元計測における各断面方向図と、スキャン装置の組み合わせについて、図面により説明する。
図２は縦断面画像取得説明図で、照射窓に対し垂直方向の縦断面図である。
サンプル側の低速アクチエータＯＮ、高速〜低速スキャン装置ＯＦＦとし、
参照側を高速スキャン装置とした時に取得できる。
（イ）は縦断面画像図、（ロ）はプローブ照射部の外観斜視図である。
図においてＹは縦方向、Ｚは深さ方向、４２はプローブの照射部、４３は照射窓を示す。
なお、歯の縦横は相対的であり、患者の位置によって方向が異なるが、本図は、図１のブロック図に方向を合わせた。
【００１４】
図３は横断面画像取得説明図で、サンプル側の、スキャン装置高速〜低速スキャンを高速とし、低速アクチエータＯＦＦとし、参照側を低速スキャン装置とした時に取得できる。
（イ）は横断面画像図、（ロ）はプローブ照射部の外観斜視図である。
図においてＸは横方向を示す。
また、サンプル側の、スキャン装置高速〜低速スキャンを低速とし、低速アクチエータＯＦＦとし、
参照側を高速スキャン装置とした時にも、横断面画像を取得できる（図示せず）。
【００１５】
図４は、平行方向の縦断面画像取得説明図で、照射窓に対し平行方向の縦断面図である。
サンプル側の、スキャン装置高速〜低速スキャンを高速とし、低速アクチエータＯＮとし、参照側のスキャン装置をＯＦＦとした時に取得できる。
（イ）は平行方向の縦断面画像図、（ロ）はプローブ照射部の外観斜視図を示す。
【００１６】
図５は、３次元計測画像取得説明図で、
サンプル側の、高速スキャン装置高速〜低速スキャンを高速に、低速アクチエータＯＮとし、参照側を高速スキャンとした時に取得できる。
【符号の説明】
【００１７】
１：診断用プローブ
２：参照側スキャン装置
３：スキャン装置の切り替え回路
４：低速〜高速可変スキャン装置
５：反射鏡
６：参照光
７：コリメートレンズ
８：深さ方向走査
９：ＳＬＤ
１０：光ファイバ
１１：光サーキュレータ
１２：光ファイバカップラ
１３：検出器
１４：検出信号線
１５：信号処理部
１６：コンピュータ
１７：表示部
１８：光断層画像
１９：横方向走査
２０：信号光
２１：歯部
２２：歯
２３：歯肉
２４：スキャン切り替え操作ボタン
２５：各スキャン装置駆動信号及び電源部
２６：光スキャナ速度切り替え及び停止スィッチ
２７：低速アクチエータＯＮＯＦＦスィッチ
２８：速度切り替え及び停止スイッチ
２９：縦断面画像選択ボタン
３０：横断面画像選択ボタン
３１：平行縦断面画像選択ボタン
３２：三次元画像選択ボタン
３３：低速アクチエータ
３４：参照側スキャン装置駆動信号線
３５：低速スキャン装置駆動信号線
３６：光スキャナ駆動信号線
３７：コリメートレンズ
３８：信号光
３９：高速〜低速可変光スキャナ
４０：移動ステージ
４１：レンズ
４２：プローブの照射部
４３：照射窓
Ｘ：横方向
Ｙ：縦方向
Ｚ：深さ方向
【図１】
0003167523.tif 000003
【図２】
0003167523.tif 000004
【図３】
0003167523.tif 000005
【図４】
0003167523.tif 000006
【図５】
0003167523.tif 000007